(57)【要約】【課題】蛍光ランプの交換作業において、取付けたことの確認が必要な蛍光ランプに装着する部品を使用することなく、低温状態における光出力の低下を緩和できる照明器具を供給することにある。【解決手段】開口端を有し蛍光ランプを収納する熱伝導性の良い部材からなる器具本体と、前記開口端に圧接して取付けられる熱伝導性の良い部材からなる枠体と前記蛍光ランプの光を外部に放出する透光性の部材からなる透光部とを有したカバーと、前記蛍光ランプを介して前記透光部と対向するように前記器具本体に取付けられた反射体と、を備えた照明器具において、前記反射体の周縁部と、前記カバーとの隙間を塞いだことを特徴とする照明器具。【選択図】　　　　図１
2004087286.tif 000002
【特許請求の範囲】
【請求項１】
開口端を有し蛍光ランプを収納する熱伝導性の良い部材からなる器具本体と、前記開口端に圧接して取付けられる熱伝導性の良い部材からなる枠体と前記蛍光ランプの光を外部に放出する透光性の部材からなる透光部とを有したカバーと、前記蛍光ランプを介して前記透光部と対向するように前記器具本体に取付けられた反射体と、を備えた照明器具において、前記反射体の周縁部と、前記カバーとの隙間を塞いだことを特徴とする照明器具。
【請求項２】
前記反射体の周縁部と、前記カバーとの隙間に遮蔽体を設けたことを特徴とする請求項１記載の照明器具。
【請求項３】
前記遮蔽体は、弾性を有する部材で構成したことを特徴とする請求項２記載の照明器具。
【請求項４】
前記遮蔽体を反射体に設けたことを特徴とする請求項２記載の照明器具。
【請求項５】
前記遮蔽体をカバーに設けたことを特徴とする請求項２記載の照明器具。
【請求項６】
前記器具本体と前記カバーが密閉されていることを特徴とする請求項１乃至５記載の照明器具。
【請求項７】
前記照明器具は、傾斜した壁面に取付けられたトンネル用照明器具であることを特徴とする請求項６記載の照明器具。
【発明の詳細な説明】
【０００１】
【発明の属する技術分野】
本発明は、トンネルなどの壁面に取付けられる照明器具に関する。
【０００２】
【従来の技術】
この種の照明器具としては、特開平１０−３０８１０９に開示されたものがあり、図８はその図で、図８（ａ）は正面図、図８（ｂ）は側面図、図８（ｃ）はＡ−Ａ´断面図、図８（ｄ）は、Ｂ−Ｂ´断面図である。この照明器具は、片側のみに口金を有し屈曲形をなした蛍光ランプ１１を収納する器具本体１と、枠体２ａと蛍光ランプ１１の光を外部に放出する透光部２ｂとを有したカバー２と、蛍光ランプ１１を介して透光部２ｂと対向するように器具本体１に取付けられた反射体３と、を備えて構成されている。
【０００３】
器具本体１は、ステンレスにより形成され、開口端１ａと、被取付け部１ｂと、開口端１ａに配設されるパッキン１ｃと、を備えて構成されている。そして、器具本体１の内部には、蛍光ランプ１１を点灯させるための点灯装置（不図示）やランプソケット１３が設けられている。
【０００４】
カバー２は、ステンレスにより形成された枠体２ａと、蛍光ランプ１１の光を外部に放出する透明なガラス板で形成された透光部２ｂと、一方をカバー２に固定し他方を器具本体１に固定した蝶番２ｃと、蝶番２ｃの反対側に設けられたラッチ２ｄと、を備えて構成されている。そして、カバー２は、蝶番２ｃにより、器具本体１に対し開閉可能に取り付けられており、取付け完成状態においては、ラッチ２ｄにより閉じた状態に保持される。このとき、カバー２は、器具本体１のパッキン１ｃを介して開口端１ａに圧接して取付けられることにより、内部に水気が侵入しないようになっている。
【０００５】
反射体３は長手方向横断面が台形状をなす細長い反射面を有している。さらに通常このような照明器具においては、反射体３の先端は、カバー２がラッチ２ｄにより閉じた状態において、カバー２との隙間を設けた周縁部３ａを有している。この隙間を設けている理由は、カバー２がラッチ２ｄにより閉じた状態において、蝶番２ｃやラッチ２ｄの可動部分の寸法公差、並びにパッキン１ｃの変形による寸法変化が生じても、カバー２が器具本体１に水気が侵入しないように取付けられるようにしたものであった。従って、この隙間は、遊びとして所定の寸法で設ける必要があった。さらに、反射面の内側には、蛍光ランプ１１が設けられており、この蛍光ランプ１１は、片側に設けられた口金をランプソケット１３に装着するとともに、その反対側の２本の直状部をそれぞれホルダー１２にはめ込むことで固定されている。そして、蛍光ランプ１１は、その全体が反射面の内部に収まるように配設されている。
【０００６】
この照明器具を点灯させると蛍光ランプ１１が光を放射し、その光が反射体３により配光制御され、所定の光出力が得られる。また、これと同時に蛍光ランプ１１や点灯装置からは、熱が発生する。特に、蛍光ランプ１１から発生した熱は、カバー２と反射体３とにより形成された空間Ｘで生じる気体の対流により、カバー２や反射体３を介して外部に放熱される。詳しくは、蛍光ランプ１１は、空間Ｘの中だけで生じる気体の対流により放熱されるものと、空間Ｘ内の気体が前述した反射体の周縁部３ａとカバー２との間の隙間を介して空間Ｘの外部の気体と混ざりあうことにより放熱されるものとがある。そして、どちらの場合においても空間Ｘの気体の熱は、器具本体１やカバー２を介して外部に放熱されるが、共に熱伝導性のよいステンレスで形成されているため、比較的速やかに気体の温度を下げることとなる。
【０００７】
なお、このとき空間Ｘの容積が大きいほど蛍光ランプ１１近辺の気体の対流が増え、放熱の度合いは、大きくなる。また、空間Ｘ内の気体が空間Ｘ外の気体と混ざりあうことが大きいほど、つまり反射体の周縁部３ａとカバー２との隙間が大きいほど、蛍光ランプ１１近辺の気体の対流が増え、放熱の度合いは、大きいものとなる。
【０００８】
一方、蛍光ランプ１１は、図９に示すような光出力と周囲温度との関係を有している。このものは周囲温度２５度で光出力が最大となる上に凸状の特性となり、その変化は周囲温度２５度より高温の場合は緩やかに、また周囲温度２５度より低温の場合は急に低下するものとなる。
【０００９】
このような特性を有する蛍光ランプ１１を前述した照明器具に収納し、トンネル等の壁面に取付ける場合は、低温状態においても所定の光出力を得られるように配慮する必要がある。これは、前述した照明器具では、器具本体１やカバー２が、共に熱伝導性のよいステンレスで形成されており空間Ｘ内の気体の温度を下げやすく蛍光ランプ１１の熱が放熱されやすいものであるあること、並びに、トンネル内は、一般の屋内に対して、風が発生しやすく、この風が照明器具にあたり、照明器具が冷却されやすいこと、更に、トンネル内の傾斜した面に取付けられると前述したように反射体の周縁部３ａとカバー２との隙間からの気体の対流が増すこと、などにより、結果的に蛍光ランプ１１の周囲温度が上がりにくい環境になるためである。
【００１０】
この低温状態における光出力の低下を緩和するために、図１０、図１１に示したものがある。図１０のものを説明すると、１は器具本体、２はカバー、１１は蛍光ランプ、３０は蛍光ランプ１１の先端付近に設けられた保温カバーである。このものは、保温カバー３０により蛍光ランプ１１の最冷点が保温される。従って、低温状態において保温カバー３０が無い場合よりも蛍光ランプ１１からの光の量を多くすることができ、その結果、低温状態において照明器具からの光出の低下を緩和することができる。次に、図１１のものを説明すると、１は器具本体、２はカバー、１１は蛍光ランプ、４０は反射体３の内面に設けられたヒーターである。このものにおいては、ヒーター４０により空間Ｘを暖めることができるので、上記したものと同様、低温状態において照明器具からの光出の低下を緩和することができる。
【００１１】
なお、この他のものとして、図８で示した、カバー２と反射体３とにより形成された空間Ｘの容積を小さくし、空間Ｘ内の空気の対流量を減らすことにより、蛍光ランプ１１からの放熱を減らすものが考えられている。
【００１２】
【発明が解決しようとする課題】
ところが、上記した照明器具は、低温状態において照明器具からの光出力の低下を緩和することができるが、図１０に示したものは、保温カバー３０を装着した箇所からの光は、放出されない、又は、かなり低減されるというものとなっていた。さらに、このものは、寿命などにより蛍光灯ランプ１１を交換した後においても、蛍光ランプ１１に保温カバー３０を装着する必要があり、交換時において、付け替えの時間を要する上に、取付けたことの確認も必要となっていた。また、図１１に示したものについては、ヒーター４０を発熱させるための電力が新たに必要となっていた。さらに、ヒーター４０の消費電力を下げるために、蛍光ランプ１１に直接装着するようなヒーター４０を設けることも考えられるがこのものについても、蛍光ランプ１１の交換時において、付け替えの時間を要する上に、取付けたことの確認も必要となる。
【００１３】
また、図８で示した空間Ｘの容積を小さくするものについては、反射体３を小さくする必要があるため、反射体３による蛍光ランプ１１の配光設計を難しくすることになっていた。
【００１４】
本発明は、上記事由に鑑みてなしたもので、その目的とするところは、蛍光ランプの交換作業において、取付けたことの確認が必要な蛍光ランプに装着する部品を使用することなく、低温状態における光出力の低下を緩和できる照明器具を供給することにある。
【００１５】
【課題を解決するための手段】
請求項１に係る発明は、開口端を有し蛍光ランプを収納する熱伝導性の良い部材からなる器具本体と、前記開口端に圧接して取付けられる熱伝導性の良い部材からなる枠体と前記蛍光ランプの光を外部に放出する透光性の部材からなる透光部とを有したカバーと、前記蛍光ランプを介して前記透光部と対向するように前記器具本体に取付けられた反射体と、を備えた照明器具において、前記反射体の周縁部と、前記カバーとの隙間を塞いだことを特徴とする。
【００１６】
請求項２に係る発明の照明器具は、請求項１において、前記反射体の周縁部と、前記カバーとの隙間に遮蔽体を設けたことを特徴とする。
【００１７】
請求項３に係る発明の照明器具は、請求項２において、前記遮蔽体は、弾性を有する部材で構成したことを特徴とする。
【００１８】
請求項４に係る発明の照明器具は、請求項２において、前記遮蔽体を反射体に設けたことを特徴とする。
【００１９】
請求項５に係る発明の照明器具は、請求項２において、前記遮蔽体をカバーに設けたことを特徴とする。
【００２０】
請求項６に係る発明の照明器具は、請求項１乃至５において、前記器具本体と前記カバーが密閉されていることを特徴とする。
【００２１】
請求項７に係る発明の照明器具は、請求項６において、前記照明器具は、傾斜した壁面に取付けられたトンネル用照明器具であることを特徴とする。
【００２２】
【発明の実施の形態】
（第１の実施の形態）
本発明の第１の実施の形態を図１〜図４を用いて説明する。図１（ａ）は照明器具の正面図、図１（ｂ）は図１（ａ）におけるＡ−Ａ´断面図、図２はのこのものの要部斜視図、図３は遮蔽体の斜視図、図４はこのものをトンネルに取付けた説明図である。
【００２３】
この照明器具は、片側のみに口金を有し屈曲形をなした蛍光ランプ１１を収納する器具本体１と、枠体２ａと蛍光ランプ１１の光を外部に放出する透光性の部材からなる透光部２ｂとを有したカバー２と、蛍光ランプ１１を介して透光部２ｂと対向するように器具本体１に取付けられた反射体３と、を備えて構成されている。
【００２４】
器具本体１は、ステンレスにより形成され、開口端１ａと、被取付け部１ｂと、開口端１ａに配設されるパッキン（不図示）と、を備えて構成されている。そして、器具本体１の内部には、蛍光ランプ１１を点灯させるための点灯装置（不図示）やランプソケット１３が設けられている。
【００２５】
カバー２は、ステンレスにより形成された枠体２ａと、蛍光ランプ１１の光を外部に放出する透明なガラス板で形成された透光部２ｂと、一方をカバー２に固定し他方を器具本体１に固定した蝶番２ｃと、蝶番２ｃの反対側に設けられたラッチ２ｄと、を備えて構成されている。そして、カバー２は、蝶番２ｃにより、器具本体１に対し開閉可能に取り付けられており、取付け完成状態においては、ラッチ２ｄにより閉じた状態に保持される。このとき、カバー２は、器具本体１のパッキン（不図示）を介して開口端１ａに圧接して取付けられることにより、内部に水気が侵入しないようになっている。
【００２６】
反射体３は長手方向横断面が台形状をなす細長い反射面を有し、その先端には、カバー２がラッチ２ｄにより閉じた状態において、カバー２との隙間を設けた周縁部３ａを有している。そして、反射面の内側には、蛍光ランプ１１が設けられており、この蛍光ランプ１１は、片側に設けられた口金１１ａをランプソケット１３に装着するとともに、その反対側の２本の直状部をそれぞれホルダー１２にはめ込むことで固定されている。そして、蛍光ランプ１１は、その全体が反射面の内部の空間Ｘに収まるように配設されている。そして、反射体３は両側を器具本体１の底部に立設した支持脚８にねじ止めすることにより透光部２ｂと反射体３の底部が対向するように固定され、器具本体１の底部上方に支持されている。そして、ランプソケット１３は反射体３の裏方の器具本体１の底部に立設され、上端が反射体３内に臨んだランプソケット支持体９の上端部に固定されている。
【００２７】
ここで重要なことは、反射体３の周縁部３ａと、カバー２との隙間を塞いだことである。具体的には、反射体３の周縁部３ａと、カバー２との隙間に遮蔽体１４を設けて隙間を塞いだことである。さらに、図２に示すように、遮蔽体１４を反射体３の周縁部３ａに設け、遮蔽体１４を弾性を有するゴム材で形成したことである。ゴム材は、図３に示すように、リング状であり、その断面は、略四角形をなしている。
【００２８】
以上のように構成された照明器具は、図４に示すようなトンネル用照明器具１００として、トンネルの壁面Ｂ、あるいは天井面Ｃに、カバー２に具備されている透光部２ｂがそこから放射される光が道路面に向かって照射されるように取付けられる。
【００２９】
次に、この照明器具を点灯させると蛍光ランプ１１が光を放射し、その光が反射体３により配光制御され、所定の光出力が得られる。また、これと同時に蛍光ランプ１１や点灯装置からは、熱が発生する。特に、蛍光ランプ１１から発生した熱は、カバー２と反射体３とにより形成された空間Ｘで生じる気体の対流により、カバー２や反射体３を介して外部に放熱される。このとき、蛍光ランプ１１は、空間Ｘの中だけで生じる気体の対流により放熱されることになり、空間Ｘ内の気体が空間Ｘの外部の気体と混ざりあうことにより放熱されることは、ほとんど無い状態となる。
【００３０】
この実施の形態によると、反射体３の周縁部３ａと、カバー２との隙間に遮蔽体１４を設けて隙間を塞いだことにより、空間Ｘ内の気体が空間Ｘの外部の気体と混ざりあうことにより放熱されることは、ほとんど無い状態となるので、空間Ｘ内の気体の熱の放熱が軽減され、蛍光ランプ１１の温度の低下を低減することになる。従って、蛍光ランプ１１の交換作業において、取付けたことの確認が必要な蛍光ランプに装着する部品を使用することなく、低温状態における光出力の低下を緩和できる。なお、隙間がある従来のものと低温状態における光出力の低下を比較した場合、トンネルの天井面Ｃの水平面にこの実施の形態の照明器具を取付けるよりも、その他の傾斜した面にこの実施の形態の照明器具を取付けた場合において特に差が大きくなる。従って、この実施の形態の照明器具は、トンネルの傾斜した面に取付られることにより特に有効な働きをする。
【００３１】
さらに、従来、反射体３と、カバー２との間に設けていた隙間は、カバー２がラッチ２ｄにより閉じた状態において、蝶番２ｃやラッチ２ｄの可動部分の寸法公差、並びにパッキン１ｃの変形による寸法変化が生じても、カバー２が器具本体１に水気が侵入しないように取付けられるようにしたものであった。従って、この隙間は、遊びとして所定の寸法で設ける必要があり、従来は、１ｃｍ程度設けられているものもあった。この実施の形態のように遮蔽体１４を反射体３の周縁部３ａに設け、遮蔽体１４を弾性を有するゴム材で形成することにより、前述した蝶番２ｃやラッチ２ｄの可動部分の寸法公差、並びにパッキン１ｃの変形による寸法変化が生じても、カバー２が器具本体１に水気が侵入しないように取付けできるうえに、遮蔽体１４とカバー２との隙間の発生を軽減できる。なお、遮蔽体１４は、ゴム材や弾性を有するゴム材や成形部材などのように、弾性を有し、かつ、復元性のある材質が、隙間をより確実に塞ぐことができ、特に望ましい。
【００３２】
なお、ここでは、反射体３の周縁部３ａと、カバー２との間に設けていた隙間を、周縁部３ａの周囲全てにわたり遮蔽体１４で塞いだ例で説明したが、例えば、周縁部３ａの長手方向のみに遮蔽体１４を設け、短手方向は、設けないものでもよい。また、遮蔽体１４とカバー２との間の隙間については、３ｍｍ程度以下であれば殆ど同様の保温性が得られることもあるので、必ずしも、完全に塞ぐ必要はない。
【００３３】
さらに、遮蔽体１４をカバー側に設けて隙間を塞いでもよく、この場合においても、前述したものと同様に蛍光ランプは保温され、低温状態における光出力の低下を緩和できる。
【００３４】
（第２の実施の形態）
本発明の第２の実施の形態を図５、図６を用いて説明する。図５は照明器具のカバーの斜視図、図６はカバーを閉じた状態におけるカバーと反射体との位置関係を示した斜視図、図７はその断面図である。このものは、第１の実施の形態における遮蔽体１４の形状と取付け位置を変えたものである。
図において、カバー２の透光部２ｂは、透明な強化ガラスにより形成され、カバー２の枠体２ａに嵌め込まれている。
【００３５】
遮蔽体１４は、金属部材により、断面が略Ｌ字をなし、透光部２ｂの周囲に略沿うようなリング状に形成されている。そして、遮蔽体１４の略Ｌ字をなした長手片は、強化ガラスにより形成された透光部２ｂの周縁と枠体２ａとの嵌め込み部を跨いで設けられ、長手片を枠体２ａに固定することにより、透光部２ｂを枠体に固定している。また、略Ｌ字をなした短手片は、その内側に反射体３の周縁部３ａが入り込むように設けられ、カバー２をラッチ２ｄにより閉じた状態において、反射体３の周縁部３ａとカバー２との隙間をほぼ塞ぐように設けられている。その他の第１の実施の形態と同一の構成部材には同一符号を付すことにより説明を省略する。
【００３６】
このように構成された照明器具を点灯させると蛍光ランプ１１が光を放射し、その光が反射体３により配光制御され、所定の光出力が得られる。また、これと同時に蛍光ランプ１１や点灯装置からは、熱が発生する。特に、蛍光ランプ１１から発生した熱は、カバー２と反射体３とにより形成された空間Ｘで生じる気体の対流により、カバー２や反射体３を介して外部に放熱される。このとき、蛍光ランプ１１は、空間Ｘの中だけで生じる気体の対流により放熱されることになり、空間Ｘ内の気体が空間Ｘの外部の気体と混ざりあうことにより放熱されることは、ほとんど無い状態となる。
【００３７】
この実施の形態によると、遮蔽体１４の略Ｌ字をなした短手片の内側に反射体３の周縁部３ａが入り込むような構成として隙間を塞いだことにより、空間Ｘ内の気体が空間Ｘの外部の気体と混ざりあうことにより放熱されることは、ほとんど無い状態となるので、空間Ｘ内の気体の熱の放熱が軽減され、蛍光ランプ１１の温度の低下を低減することになる。従って、蛍光ランプ１１の交換作業において、取付けたことの確認が必要な蛍光ランプに装着する部品を使用することなく、低温状態における光出力の低下を緩和できる。
【００３８】
また、従来、カバー２がラッチ２ｄにより閉じた状態において、蝶番２ｃやラッチ２ｄの可動部分の寸法公差、並びにパッキン１ｃの変形による寸法変化が生じても、カバー２が器具本体１に水気が侵入しないように取付けられるようにカバー２（透光部２ａ）と反射体３の周縁部３ａに設けた隙間（遊び）は、そのままの状態にしておくことができる。さらに、遮蔽体１４により透光部２ｂを枠体２ａに固定しているので、別途、固定金具を設ける必要がない。
【００３９】
なお、器具本体１とカバー２が密閉でされていてもよく、この場合さらに蛍光ランプが保温できるので、低温状態における光出力の低下をさらに緩和できる。
【００４０】
【発明の効果】
請求項１記載の発明にあっては、開口端を有し蛍光ランプを収納する熱伝導性の良い部材からなる器具本体と、前記開口端に圧接して取付けられる熱伝導性の良い部材からなる枠体と前記蛍光ランプの光を外部に放出する透光性の部材からなる透光部とを有したカバーと、前記蛍光ランプを介して前記透光部と対向するように前記器具本体に取付けられた反射体と、を備えた照明器具において、前記反射体の周縁部と、前記カバーとの隙間を塞いだことにより、蛍光ランプを収納した空間の気体の熱の放熱が軽減され、蛍光ランプの温度の低下を低減することになる。従って、蛍光ランプの交換作業において、取付けたことの確認が必要な蛍光ランプに装着する部品を使用することなく、低温状態における光出力の低下を緩和できる。
【００４１】
請求項２記載の発明にあっては、前記反射体の周縁部と、前記カバーとの隙間に遮蔽体を設けたことにより、請求項１に記載の効果を奏する。
【００４２】
請求項３記載の発明にあっては、前記遮蔽体は、弾性を有する部材で構成したことにより、請求項１又は請求項２に記載の効果を奏するうえに、構成部材の寸法公差、又は、変形による寸法変化が発生して隙間が生じることを軽減できる。
【００４３】
請求項４記載の発明にあっては、前記遮蔽体を反射体に設けたことにより、請求項２に記載の効果を奏する。
【００４４】
請求項５記載の発明にあっては、前記遮蔽体をカバーに設けたことにより、請求項２に記載の効果を奏する。
【００４５】
請求項６記載の発明にあっては、前記器具本体と前記カバーが密閉されていることにより、請求項１乃至５に記載の効果を奏するうえに、さらに蛍光ランプが保温できるので、低温状態における光出力の低下をさらに緩和できる。
【００４６】
請求項７記載の発明にあっては、前記照明器具は、傾斜した壁面に取付けられたトンネル用照明器具であることにより、請求項１乃至６に記載の効果をさらに高めることができる。
【図面の簡単な説明】
【図１】本発明の第１の実施の形態に係る照明器具を示す図で、図１（ａ）は正面図、図１（ｂ）はＡ−Ａ´断面図である。
【図２】同上の照明器具の要部斜視図である。
【図３】同上の照明器具の遮蔽体の正面図である。
【図４】同上の照明器具をトンネルに取付けた説明図である。
【図５】本発明の第２の実施の形態に係る照明器具のカバーの斜視図である。
【図６】同上の照明器具のカバーを閉じた状態におけるカバーと反射体との位置関係を示した斜視図である。
【図７】同上の照明器具のカバーを閉じた状態におけるカバーと反射体との位置関係を示した側面図である。
【図８】第１の従来例に係る照明器具を示す図で、図８（ａ）は正面図、図８（ｂ）は側面図、図８（ｃ）はＡ−Ａ´断面図、図８（ｄ）はＢ−Ｂ´断面図である。
【図９】同上の照明器具に使用する蛍光ランプの光出力と周囲温度の関係を示した図である。
【図１０】第２の従来例に係る照明器具の断面図である。
【図１１】第３の従来例に係る照明器具の断面図である。
【符号の説明】
１　　　器具本体
１ａ　　開口端
２　　　カバー
２ａ　　枠体
２ｂ　　透光部
３　　　反射体
３ａ　　周縁部
１１　　蛍光ランプ
１４　　反射体
【図１】
2004087286.tif 000003
【図２】
2004087286.tif 000004
【図３】
2004087286.tif 000005
【図４】
2004087286.tif 000006
【図５】
2004087286.tif 000007
【図６】
2004087286.tif 000008
【図７】
2004087286.tif 000009
【図８】
2004087286.tif 000010
【図９】
2004087286.tif 000011
【図１０】
2004087286.tif 000012
【図１１】
2004087286.tif 000013